(57)【要約】【課題】除湿ロータの除湿量の向上を図りながら、省エネルギー化を図ることができる除湿空調装置を提供すること。【解決手段】水分吸着領域４２と水分放出領域５２との間で水分吸着素子３１を移動させる除湿ロータ３０と、外気を水分吸着領域４２に通過させることにより除湿し、店舗１内に供給する除湿処理ユニット４０と、外気を加熱して水分放出領域５２に通過させることにより、水分吸着素子３１に水分を放出させる再生処理ユニット５０とを備えた除湿空調装置２０において、除湿処理ユニット４０は、外気温度を検出する外気温度検出センサ４５と、水分吸着領域４２に向けて流れる空気を冷却する除湿前冷却手段（４１）と、外気温度と除湿前冷却手段により冷却される空気の温度とが関連付けられた除湿前冷却情報４６１に従い、検出された外気温度に応じて除湿前冷却手段による冷却量を制御する制御部４７とを備えたものである。【選択図】        図１
2007225157.tif 000002
【特許請求の範囲】
【請求項１】
水分吸着領域と水分放出領域との間で水分吸着素子を移動させる除湿ロータと、
導入した外気を前記水分吸着領域に通過させることにより、前記水分吸着素子に水分を吸着させて除湿し、除湿した空気を対象室内に供給する除湿処理ユニットと、
導入した外気を加熱して前記水分放出領域に通過させることにより、前記水分吸着素子に水分を放出させる再生処理ユニットと
を備えた除湿空調装置において、
前記除湿処理ユニットは、
外気温度を検出する外気温度検出手段と、
前記水分吸着領域に向けて流れる空気を冷却する除湿前冷却手段と、
予め設定された、外気温度と前記除湿前冷却手段により冷却される空気の温度とが関連付けられた除湿前冷却情報に従い、前記外気温度検出手段により検出された外気温度に応じて前記除湿前冷却手段による冷却量を制御する除湿前制御手段と
を備えたことを特徴とする除湿空調装置。
【請求項２】
前記除湿前冷却手段は、冷媒を圧縮する圧縮機と、前記圧縮機により圧縮された冷媒を放熱させる放熱器と、前記放熱器で放熱させた冷媒を断熱膨張させる膨張弁と、前記膨張弁で断熱膨張させた冷媒を蒸発させる蒸発器とを順次接続してこれらの間で冷媒を循環させる冷媒循環経路を有して成り、
前記除湿前制御手段は、前記除湿前冷却情報に従い、前記外気温度検出手段により検出された外気温度に応じて前記膨張弁の弁開度を調整して冷却量を制御することを特徴とする請求項１に記載の除湿空調装置。
【請求項３】
前記圧縮機および前記放熱器は、前記対象室内を冷却するための冷却ユニットを構成することを特徴とする請求項２に記載の除湿空調装置。
【請求項４】
前記除湿処理ユニットは、
前記水分吸着領域を通過して除湿された空気を冷却する除湿後冷却手段と、
予め設定された、外気温度と前記除湿後冷却手段により冷却される空気の温度とが関連付けられた除湿後冷却情報に従い、前記外気温度検出手段により検出された外気温度に応じて前記除湿後冷却手段による冷却量を制御する除湿後制御手段と
を備えたことを特徴とする請求項１〜３のいずれか一つに記載の除湿空調装置。
【請求項５】
前記除湿後冷却手段は、冷媒を圧縮する圧縮機と、前記圧縮機により圧縮された冷媒を放熱させる放熱器と、前記放熱器で放熱させた冷媒を断熱膨張させる膨張弁と、前記膨張弁で断熱膨張させた冷媒を蒸発させる蒸発器とを順次接続してこれらの間で冷媒を循環させる冷媒循環経路を有して成り、
前記除湿後制御手段は、前記除湿後冷却情報に従い、前記外気温度検出手段により検出された外気温度に応じて前記膨張弁の弁開度を調整して冷却量を制御することを特徴とする請求項４に記載の除湿空調装置。
【請求項６】
前記圧縮機および前記放熱器は、前記除湿前冷却手段を構成するととともに、前記対象室内を冷却するための冷却ユニットを構成することを特徴とする請求項２または請求項５に記載の除湿空調装置。
【発明の詳細な説明】
【技術分野】
【０００１】
本発明は、除湿空調装置に関し、より詳細には、例えばスーパーマーケット、コンビニエンスストア、ショッピングセンター等の店舗に適用され、室内への外気導入による換気、除湿、空気調和の各機能を有する除湿空調装置の改良に関する。
【背景技術】
【０００２】
従来、例えばスーパーマーケット、コンビニエンスストア、ショッピングセンター等の店舗等に適用される除湿空調装置として、除湿ロータと、除湿処理ユニットと、再生処理ユニットとを備えたものが知られている。
【０００３】
除湿ロータは、いわゆるデシカント除湿機であり、円板状の水分吸着素子が設けられている。水分吸着素子は、２つに仕切られた空気の流路を構成する水分吸着領域と水分放出領域とを交互に通過する態様で回転する。すなわち、水分吸着素子が回転すると、水分吸着領域に位置した部分は水分放出領域に移動し、次いで、再び水分吸着領域に移動することを順次繰り返す。
【０００４】
除湿処理ユニットは、外気を取り入れ、取り入れた空気を除湿ロータの水分吸着領域に通過させることにより、通過する空気の水分を水分吸着素子に吸着させて除湿し、かかる水分吸着領域を通過した空気を冷却器にて所定温度に冷却して、冷却した空気を対象室内に導入するものである。
【０００５】
再生処理ユニットは、再生空気（例えば外気）を取り入れ、取り入れた再生空気を加熱器で加熱し、加熱した空気を除湿ロータの水分放出領域に通過させることにより、水分吸着素子に水分を放出させて乾燥し、かかる水分放出領域を通過した空気を外部に送出するものである。
【０００６】
そのような除湿空調装置において、除湿処理ユニットを構成する冷却器は、内部の流路を流れる冷媒が蒸発することにより、該冷却器の周囲を通過する空気との間で熱交換が行われて該空気を冷却するものである。そして、かかる冷却器への冷媒の供給量を制御することにより、冷却器を通過した後の空気の温度を調整するものが提案されている（例えば、特許文献１参照）。
【０００７】
【特許文献１】特開２００４−３１６９７５号公報
【発明の開示】
【発明が解決しようとする課題】
【０００８】
しかしながら、特許文献１に提案されている除湿空調装置では、冷却器への冷媒の供給量を制御して該冷却器を通過した後の空気の温度を調整しているが、このような構成では、除湿ロータを通過する以前の空気、すなわち除湿ロータの水分吸着領域に向けて流れる空気に対して冷却等を行うわけではないので、除湿量向上を図ることが困難である。
【０００９】
その一方、除湿空調装置の他の例として、外気を取り入れ、取り入れた空気を冷却器にて所定温度に冷却し、冷却した空気を除湿ロータの水分吸着領域に通過させることにより除湿し、除湿した空気を対象室内に戻すような除湿処理ユニットを備えた除湿空調装置が知られている。
【００１０】
かかる除湿空調装置では、取り入れた空気を所定温度に冷却した後に除湿ロータの水分吸着領域に通過させているので、水分吸着領域に向けて流れる空気の相対湿度を上昇させることができ、これにより除湿ロータによる水分吸着量を増大させることができ、除湿量の向上を図ることができる。
【００１１】
ところが、このような除湿空調装置では、冷却器の温度が所定の温度、例えば着霜を防止するために０℃となるように調整されている。そのため、外気条件（外気温度等）が異なる場合にも除湿ロータでの除湿量および対象室内に供給する空気温度が成り行きとなっており、取り入れた空気を必要以上に過剰に冷却してしまい、消費電力等のエネルギーロスを生じる虞れがあった。
【００１２】
本発明は、上記実情に鑑みて、除湿ロータの除湿量の向上を図りながら、省エネルギー化を図ることができる除湿空調装置を提供することを目的とする。
【課題を解決するための手段】
【００１３】
上記目的を達成するために、本発明の請求項１に係る除湿空調装置は、水分吸着領域と水分放出領域との間で水分吸着素子を移動させる除湿ロータと、導入した外気を前記水分吸着領域に通過させることにより、前記水分吸着素子に水分を吸着させて除湿し、除湿した空気を対象室内に供給する除湿処理ユニットと、導入した外気を加熱して前記水分放出領域に通過させることにより、前記水分吸着素子に水分を放出させる再生処理ユニットとを備えた除湿空調装置において、前記除湿処理ユニットは、外気温度を検出する外気温度検出手段と、前記水分吸着領域に向けて流れる空気を冷却する除湿前冷却手段と、予め設定された、外気温度と前記除湿前冷却手段により冷却される空気の温度とが関連付けられた除湿前冷却情報に従い、前記外気温度検出手段により検出された外気温度に応じて前記除湿前冷却手段による冷却量を制御する除湿前制御手段とを備えたことを特徴とする。
【００１４】
また、本発明の請求項２に係る除湿空調装置は、上述した請求項１において、前記除湿前冷却手段は、冷媒を圧縮する圧縮機と、前記圧縮機により圧縮された冷媒を放熱させる放熱器と、前記放熱器で放熱させた冷媒を断熱膨張させる膨張弁と、前記膨張弁で断熱膨張させた冷媒を蒸発させる蒸発器とを順次接続してこれらの間で冷媒を循環させる冷媒循環経路を有して成り、前記除湿前制御手段は、前記除湿前冷却情報に従い、前記外気温度検出手段により検出された外気温度に応じて前記膨張弁の弁開度を調整して冷却量を制御することを特徴とする。
【００１５】
また、本発明の請求項３に係る除湿空調装置は、上述した請求項２において、前記圧縮機および前記放熱器は、前記対象室内を冷却するための冷却ユニットを構成することを特徴とする。
【００１６】
また、本発明の請求項４に係る除湿空調装置は、上述した請求項１〜３のいずれか一つにおいて、前記除湿処理ユニットは、前記水分吸着領域を通過して除湿された空気を冷却する除湿後冷却手段と、予め設定された、外気温度と前記除湿後冷却手段により冷却される空気の温度とが関連付けられた除湿後冷却情報に従い、前記外気温度検出手段により検出された外気温度に応じて前記除湿後冷却手段による冷却量を制御する除湿後制御手段とを備えたことを特徴とする。
【００１７】
また、本発明の請求項５に係る除湿空調装置は、上述した請求項４において、前記除湿後冷却手段は、冷媒を圧縮する圧縮機と、前記圧縮機により圧縮された冷媒を放熱させる放熱器と、前記放熱器で放熱させた冷媒を断熱膨張させる膨張弁と、前記膨張弁で断熱膨張させた冷媒を蒸発させる蒸発器とを順次接続してこれらの間で冷媒を循環させる冷媒循環経路を有して成り、前記除湿後制御手段は、前記除湿後冷却情報に従い、前記外気温度検出手段により検出された外気温度に応じて前記膨張弁の弁開度を調整して冷却量を制御することを特徴とする。
【００１８】
また、本発明の請求項６に係る除湿空調装置は、上述した請求項２または請求項５において、前記圧縮機および前記放熱器は、前記除湿前冷却手段を構成するととともに、前記対象室内を冷却するための冷却ユニットを構成することを特徴とする。
【発明の効果】
【００１９】
本発明に係る除湿空調装置によれば、除湿前冷却手段が水分吸着領域に向けて流れる空気を冷却するので、外気の相対湿度を上昇させることができ、除湿前制御手段が、除湿前冷却情報に従い、検出された外気温度に応じて除湿前冷却手段による冷却量を制御するので、空気を必要以上に過剰に冷却してしまう虞れがなく、外気条件の変更に対して良好な冷却効率を得ることができる。従って、除湿ロータの除湿量の向上を図りながら、省エネルギー化を図ることができるという効果を奏する。
【発明を実施するための最良の形態】
【００２０】
以下に添付図面を参照して、本発明に係る除湿空調装置の好適な実施の形態について詳細に説明する。尚、本実施の形態では、除湿空調装置の対象室は、例えばスーパーマーケット、コンビニエンスストア、ショッピングセンター等の店舗であるとして説明する。
【００２１】
＜実施の形態１＞
図１は、本発明の実施の形態１における除湿空調装置の構成を模式的に示した模式図である。この図１において、除湿空調装置２０は、店舗１の内部への外気導入による換気、除湿、空気調和を行うものである。対象となる店舗１には、空調室内器２および冷凍冷蔵機器７が設けてある。
【００２２】
空調室内器２は、圧縮機３、凝縮器４および膨張弁５と冷媒配管を通じて接続されて冷媒循環回路Ｌ１を形成している。圧縮機３は、冷媒を圧縮して高温高圧の状態にするものである。凝縮器４は、圧縮機３より供給された冷媒、すなわち、圧縮機３で高温高圧の状態に圧縮された冷媒を凝縮させて液化するものである。膨張弁５は、凝縮器４より供給された冷媒、すなわち、凝縮器４で凝縮させた冷媒を断熱膨張させる、すなわち、該冷媒を減圧して低温低圧の状態に調整するものである。空調室内器２は、膨張弁５で低温低圧の状態に断熱膨張させた冷媒を蒸発させるものである。この冷媒が蒸発することにより、空調室内器２の周辺領域は、熱が奪われて冷却される。尚、図中の符号６は、開閉可能な二方弁であり、開成状態においては、凝縮器４から膨張弁５へ冷媒が流れることを許容する一方、閉成状態においては、凝縮器４から膨張弁５へ冷媒が流れることを規制するものである。
【００２３】
冷凍冷蔵機器７は、例えばショーケース（図示せず）のようなものであり、内部に陳列された商品等を冷却するためのものである。この冷凍冷蔵機器７には、蒸発器８が内蔵されており、かかる蒸発器８は、圧縮機９、凝縮器１０および膨張弁１１と冷媒配管を通じて接続されて冷媒循環回路Ｌ２を形成している。圧縮機９は、冷媒を圧縮して高温高圧の状態にするものである。凝縮器１０は、圧縮機９より供給された冷媒、すなわち、圧縮機９で高温高圧の状態に圧縮された冷媒を凝縮させて液化するものである。膨張弁１１は、凝縮器１０より供給された冷媒、すなわち、凝縮器１０で凝縮させた冷媒を断熱膨張させる、すなわち、該冷媒を減圧して低温低圧の状態に調整するものである。蒸発器８は、膨張弁１１で低温低圧の状態に断熱膨張させた冷媒を所定の流路内で蒸発させるものである。この冷媒が蒸発することにより、冷凍冷蔵機器７の内部に陳列された商品等は、熱が奪われて冷却される。尚、図中の符号１２は、開閉可能な二方弁であり、開成状態においては、凝縮器１０から膨張弁１１へ冷媒が流れることを許容する一方、閉成状態においては、凝縮器１０から膨張弁１１へ冷媒が流れることを規制するものである。
【００２４】
そのような店舗１に適用される除湿空調装置２０は、除湿ロータ３０と、除湿処理ユニット４０と、再生処理ユニット５０とを備えて構成してある。
【００２５】
除湿ロータ３０は、いわゆるデシカント除湿機であり、円板状に形成した例えば紙やゼオライト系等の水分吸着素子３１が設けてある。水分吸着素子３１は、モータ（図示せず）の駆動により回転するものである。より詳細に説明すると、水分吸着素子３１は、２つに仕切られた空気の流路を構成する水分吸着領域４２と水分放出領域５２とを交互に通過する態様で回転するものである。すなわち、水分吸着素子３１が回転すると、水分吸着領域４２に位置した部分は水分放出領域５２に移動し、次いで、再び水分吸着領域４２に移動することを順次繰り返すことになる。
【００２６】
除湿処理ユニット４０は、導入した外気（空気）を除湿して店舗１の内部に導入するためのものであり、除湿処理経路４００を有している。
【００２７】
除湿処理経路４００は、外気取入口４０１から取り入れた外気（空気）を、空気吐出口４０２を通じて店舗１の内部に導くための経路であり、予備冷却器４１、除湿ロータ３０の水分吸着領域４２および除湿処理ファン４３が外気取入口４０１側から順に設けてある。
【００２８】
予備冷却器４１（蒸発器）は、外気取入口４０１を通じて取り入れた空気を冷却するものである。この予備冷却器４１は、圧縮機４１ａ、凝縮器（放熱器）４１ｂおよび電子膨張弁４１ｃと冷媒配管を通じて接続されて冷媒循環経路Ｋを形成している。より詳細に説明すると、圧縮機４１ａは、冷媒を圧縮して高温高圧の状態にするものである。凝縮器４１ｂは、圧縮機４１ａより供給された冷媒、すなわち、圧縮機４１ａで高温高圧の状態に圧縮された冷媒を凝縮（放熱）させて液化するものである。電子膨張弁４１ｃは、凝縮器４１ｂより供給された冷媒、すなわち、凝縮器４１ｂで放熱させた冷媒を断熱膨張させる、すなわち、該冷媒を減圧して低温低圧の状態に調整するものである。この電子膨張弁４１ｃの開度は、後述する制御部４７により調整される。予備冷却器４１は、電子膨張弁４１ｃで低温低圧の状態に断熱膨張させた冷媒を蒸発させるものである。この冷媒が蒸発することにより、予備冷却器４１の周辺を通過する空気は、熱が奪われて冷却される。このような圧縮機４１ａ、凝縮器４１ｂ、電子膨張弁４１ｃおよび予備冷却器４１を冷媒配管を通じて順次接続することにより上記冷媒循環経路Ｋを形成し、除湿前冷却手段を構成している。尚、図中の符号４１ｄは、開閉可能な二方弁であり、開成状態においては、凝縮器４１ｂから電子膨張弁４１ｃへ冷媒が流れることを許容する一方、閉成状態においては、凝縮器４１ｂから電子膨張弁４１ｃへ冷媒が流れることを規制するものである。
【００２９】
除湿ロータ３０の水分吸着領域４２は、通過する空気の水分を水分吸着素子３１に吸着させる領域である。これにより、予備冷却器４１で冷却された空気は、水分吸着領域４２で除湿される。
【００３０】
除湿処理ファン４３は、店舗１の内部に空気を導入するための送風源となるものである。従って、除湿処理ファン４３により送風された空気は、空気吐出口４０２を通じて店舗１の内部に供給される。
【００３１】
上記除湿処理経路４００には、還気取入口４０３が設けてある。還気取入口４０３は、除湿ロータ３０の水分吸着領域４２の下流側となる該水分吸着領域４２と除湿処理ファン４３との間に設けてあり、還気導入路Ｒを通じて店舗１の内部の空気を取り入れるための開口である。この還気導入路Ｒは、店舗１の内部に設けられた空気取入口（図示せず）を通じて該店舗１の内部の空気を取り入れ、還気取入口４０３まで移送するための通路である。
【００３２】
また、除湿処理経路４００には、除湿前温度検出センサ４４が設けてある。除湿前温度検出センサ４４は、予備冷却器４１と、除湿ロータ３０の水分吸着領域４２との間に設けてあり、予備冷却器４１にて冷却され、除湿ロータ３０の水分吸着領域４２に向けて流れる空気の温度を検出するものである。この除湿前温度検出センサ４４は、検出した除湿前温度を除湿前温度情報として、後述する制御部４７に出力するものである。
【００３３】
以上のような除湿処理ユニット４０の制御系について説明する。図２は、図１に示した除湿処理ユニットの制御系の要部を示すブロック図である。この図２において、除湿処理ユニット４０は、外気温度検出センサ４５、記憶部４６および制御部（除湿前制御手段）４７を備えている。これら記憶部４６および制御部４７は、除湿空調装置全体を統括する除湿空調制御部（図示せず）に組み込まれても良いし、独立して設けてあっても良い。
【００３４】
外気温度検出センサ４５は、外気の温度を検出するものであり、検出した外気温度を外気温度情報として制御部４７に出力するものである。
【００３５】
記憶部４６は、各種のデータや、制御部４７による各種処理に必要なデータやプログラムを格納する格納手段（記憶手段）であり、特に本発明に密接に関連するものとしては、除湿前冷却情報４６１を備える。除湿前冷却情報４６１は、図３に示すように、外気温度（Ｔ１〜Ｔｎ）と、予備冷却器４１により冷却される空気の除湿前温度（ｔ１〜ｔｎ）とが関連付けられた情報である。かかる除湿前冷却情報４６１は、予め実験等により求められたものであり、各外気温度に対して好適な除湿前空気温度が関連付けられている。
【００３６】
制御部４７は、ＯＳ（Operating  System）等の制御プログラム、各種の処理手順等を規定したプログラムおよび所要データを格納するための内部メモリを有し、これらによって種々の処理を実行する処理部であり、特に本発明に密接に関連するものとしては、外気温度情報入力部４７１と、除湿前温度決定部４７２と、除湿前温度情報入力部４７３と、電子膨張弁駆動部４７４と、温度比較部４７５とを備える。
【００３７】
外気温度情報入力部４７１は、外気温度検出センサ４５から出力された外気温度情報を入力処理するものである。
【００３８】
除湿前温度決定部４７２は、外気温度情報入力部４７１を通じて入力処理された外気温度情報と、記憶部４６から読み出した除湿前冷却情報４６１とを比較して、除湿前温度を決定するものである。以下においては、説明の便宜上、除湿前温度決定部４７２により決定された除湿前温度を決定温度と適宜称する。
【００３９】
除湿前温度情報入力部４７３は、除湿前温度検出センサ４４から出力された除湿前温度情報を入力処理するものである。以下においては、説明の便宜上、除湿前温度情報入力部４７３により入力処理された除湿前温度情報に含まれる除湿前温度を検出温度と適宜称する。
【００４０】
電子膨張弁駆動部４７４は、除湿前温度決定部４７２により決定された温度（決定温度）、並びに除湿前温度情報入力部４７３を通じて入力処理された検出温度に基づき、電子膨張弁４１ｃを駆動、すなわち電子膨張弁４１ｃの開度を調整駆動するものである。
【００４１】
温度比較部４７５は、除湿前温度決定部４７２により決定された決定温度（除湿前温度）と、除湿前温度情報入力部４７３を通じて入力処理された検出温度とを比較するものである。
【００４２】
再生処理ユニット５０は、導入した外気（空気）を加熱して、除湿ロータ３０の水分放出領域５２に通過させることにより、該除湿ロータ３０を構成する水分吸着素子３１に水分を放出させるものであり、再生処理経路５００を有している。
【００４３】
再生処理経路５００は、除湿処理経路４００に並設してあり、再生空気取入口５０１から取り入れた再生空気（外気）を、再生空気吐出口５０２を通じて外部に送出するための経路であり、加熱器５１、除湿ロータ３０の水分放出領域５２および再生ファン５３が再生空気取入口５０１から順に設けてある。
【００４４】
加熱器５１は、再生空気取入口５０１を通じて取り入れた空気を加熱するものである。この加熱器５１は、配管を通じて加熱源５１ａおよびポンプ５１ｂに接続することにより、例えば湯等の熱媒体が循環する熱媒体循環路Ｌ３を形成している。加熱源５１ａは、熱媒体循環路Ｌ３を流れる湯を加熱するものである。ポンプ５１ｂは、湯が熱媒体循環路Ｌ３を流れるための動力源となるものである。加熱源５１ａで加熱された湯がポンプ５１ｂの作用によって熱媒体循環路Ｌ３を流れることにより、加熱器５１の周辺を通過する空気（再生空気）は加熱される。
【００４５】
除湿ロータ３０の水分放出領域５２は、加熱器５１で加熱された空気が通過することにより、水分吸着素子３１に水分を放出させて乾燥させるための領域である。再生ファン５３は、水分放出領域５２を通過した空気を再生空気吐出口５０２を通じて外部に送出するものであり、再生空気を送風する送風源となる。
【００４６】
以上のような構成を有する除湿空調装置２０は、次のようにして店舗１の内部を換気、除湿する。ここでは、二方弁４１ｃは、開成状態であるとする。
【００４７】
運転指令が発せられ、モータ、圧縮機４１ａ、除湿処理ファン４３、加熱源５１ａ、ポンプ５１ｂおよび再生ファン５３のそれぞれが駆動すると、水分吸着素子３１が回転するとともに、除湿処理ファン４３および再生ファン５３が駆動する。また、圧縮機４１ａで圧縮された冷媒が冷媒循環経路Ｋ１を循環し、加熱源５１ａで加熱された湯がポンプ５１ｂの作用により熱媒体循環路Ｌ３を流れる。
【００４８】
除湿処理ファン４３の駆動により、外気が外気取入口４０１を通じて取り入れられ、取り入れられた外気は、予備冷却器４１に至る。予備冷却器４１に至った外気は、該予備冷却器４１の内部を流れる冷媒が蒸発することにより冷却され、水分吸着領域４２に至る。その一方、除湿処理ファン４３の駆動により、店舗１の内部の室内空気が空気取入口を通じて取り入れられ、取り入れられた室内空気は、還気導入路Ｒを通過して還気取入口４０３に至る。
【００４９】
水分吸着領域４２において、外気に含有される水分が水分吸着素子３１の対応する部分に吸着され、外気の湿度が低下する。すなわち、外気は除湿される。また、水分吸着素子３１の水分吸着領域４２に対応する部分に吸着された水分は、水分吸着素子３１の回転とともに、水分吸着領域４２から水分放出領域５２に移動する。
【００５０】
水分吸着領域４２で除湿された外気は、除湿処理ファン４３の駆動により下流側に流れ、還気導入路Ｒを通過し還気取入口４０３に至った室内空気と混合して混合拡散されて所定の温湿度に調整された後、混合空気として空気吐出口４０２を通じて店舗１の内部に供給される。
【００５１】
一方、再生ファン５３が駆動することにより、再生空気取入口５０１を通じて空気（外気）が取り入れられ、取り入れられた空気は、加熱器５１に至る。加熱器５１に至った空気は、加熱器５１の内部を流れる湯により加熱されて高温度の空気になり、水分放出領域５２に至る。
【００５２】
水分放出領域５２において、加熱器５１で加熱された空気が通過することにより、水分吸着素子３１の対応する部分から水分が放出され、該空気の湿度が上昇する。その後、水分放出領域５２を通過した空気は、再生ファン５３の駆動により、再生空気吐出口５０２を通じて外部に送出される。
【００５３】
水分吸着素子３１の水分放出領域５２に対応する部分は、水分が放出されて乾燥するとともに、温度が上昇する。この温度が上昇し、かつ乾燥した水分吸着素子３１の対応部分は、水分吸着素子３１の回転とともに、水分放出領域５２から水分吸着領域４２に移動し、上述した動作を繰り返す。
【００５４】
つまり、上記除湿空調装置２０において、除湿処理ユニット４０は、導入した外気を予備冷却器４１で冷却し、冷却した外気を水分吸着領域４２に通過させることにより水分吸着素子３１に水分を吸着させて除湿し、除湿した空気に還気導入路Ｒを通じて別個に導入した店舗１の内部の室内空気を混合して該店舗１の内部に供給している。また、再生処理ユニット５０は、外気を加熱して水分放出領域５２に通過させることにより水分吸着素子３１から水分を放出させている。
【００５５】
そして、除湿処理ユニット４０では、導入した外気を予備冷却器４１で冷却することにより、外気の相対湿度を上昇させることができる。そのため、相対湿度が高い方が除湿量が高くなる紙やゼオライト等の特性を利用して水分吸着素子３１での吸着水分量を増加させることができ、これにより、除湿ロータ３０の除湿量の向上を図ることができる。また、水分吸着領域４２を通過する外気は、除湿される際に発生する吸着熱により温度が上昇することになる。ところが、かかる外気は、水分吸着領域４２の下流側で、還気導入路Ｒを通じて導入した室内空気と混合されることで、所定の温度に冷却することができる。このように、店舗１の内部に外気を供給するので換気を行うことができ、しかも、所定の温度に冷却・除湿された空気を供給するので店舗１の内部を良好に除湿することができるとともに適温に調整することができる。
【００５６】
そのようにして店舗１の内部の換気、除湿を行う除湿空調装置２０は、予め設定された時間ごとに次のような動作を行う。図４〜図６は、それぞれ除湿処理ユニットを構成する制御部が行う処理内容を示したフローチャートである。これら図４〜図６を参照しながら説明する。
【００５７】
制御部４７は、図４に示すように、除湿前温度決定処理を行う（ステップＳ１００）。かかる除湿前温度決定処理について説明する。
【００５８】
制御部４７は、図５に示すように、外気温度情報入力部４７１を通じて、外気温度検出センサ４５からの外気温度情報の入力の有無を確認し（ステップＳ１０１）、外気温度情報の入力が確認できた場合には、制御部４７は、記憶部４６から除湿前冷却情報４６１の読み出しを行う（ステップＳ１０２）。記憶部４６から除湿前冷却情報４６１の読み出しを行った制御部４７は、除湿前温度決定部４７２を通じて、該除湿前冷却情報４６１と、外気温度情報入力部４７１を通じて入力処理された外気温度情報とを比較して、除湿前温度（決定温度）を決定し（ステップＳ１０３）、今回の除湿前温度決定処理を終了して、手順をリターンする。
【００５９】
一方、上記ステップＳ１０１において、外気温度情報の入力が確認できない場合には、制御部４７は、上述したような除湿前温度の決定を行わずに、今回の除湿前温度決定処理を終了して、手順をリターンする。これによれば、今回の処理以前であり、かつ直近に決定された除湿前温度が今なお有効なものとされる。
【００６０】
上述したような除湿前温度決定処理を行った制御部４７は、図４に示すように、電子膨張弁開度調整処理を行う（ステップＳ２００）。かかる電子膨張弁開度調整処理について説明する。
【００６１】
制御部４７は、図６に示すように、除湿前温度決定部４７２を通じて、除湿前温度の決定の有無を確認し（ステップＳ２０１）、除湿前温度の決定が確認できた場合には、電子膨張弁駆動部４７４を通じて、電子膨張弁４１ｃの開度を調整する（ステップＳ２０２）。より詳細に説明すると、制御部４７は、電子膨張弁駆動部４７４を通じて、電子膨張弁４１ｃの開度を大きくしたり、あるいは、小さくしたりする。このように電子膨張弁４１ｃの開度を大きくすると、予備冷却器４１への冷媒の供給量が増大する一方、電子膨張弁４１ｃの開度を小さくすると、予備冷却器４１への冷媒の供給量が減少する。
【００６２】
このように電子膨張弁４１ｃの開度を調整している間に、制御部４７は、除湿前温度情報入力部４７３を通じて除湿前温度検出センサ４４からの除湿前温度情報を入力し、温度比較部４７５を通じて、該除湿前温度情報に含まれる検出温度が、除湿前温度決定部４７２により決定された決定温度に一致するか否かを比較する（ステップＳ２０３，ステップＳ２０４）。かかるステップＳ２０３およびステップＳ２０４の処理は、検出温度と決定温度とが一致するまで繰り返し行う。
【００６３】
そして、検出温度と決定温度とが一致した場合には、制御部４７は、電子膨張弁駆動部４７４を通じて、調整中の電子膨張弁４１ｃの開度をその時点での大きさに保持した状態で維持し（ステップＳ２０５）、今回の電子膨張弁開度調整処理を終了して、手順をリターンする。これによれば、外気温度に好適な除湿前温度を実現するのに必要十分な量の冷媒が予備冷却器４１へ供給されることになる。
【００６４】
上記ステップＳ２０１において、除湿前温度の決定が確認できなかった場合には、制御部４７は、上述したような電子膨張弁４１ｃの開度調整を行わずに、今回の電子膨張弁開度調整処理を終了して、手順をリターンする。
【００６５】
そして、そのような電子膨張弁開度調整処理を行った後、制御部４７は、今回の処理を終了する。
【００６６】
以上説明したように、本発明の実施の形態１における除湿空調装置２０によれば、導入した外気を予備冷却器４１で冷却することにより、外気の相対湿度を上昇させることができ、これにより、除湿ロータ３０の除湿量の向上を図ることができる。また、制御部４７が、除湿前冷却情報４６１に従い、外気温度検出センサ４５により検出された外気温度に応じて電子膨張弁４１ｃの開度を調整するので、検出される外気温度に対して好適な除湿前温度を実現するのに必要十分な量の冷媒を予備冷却器４１へ供給することができ、空気を必要以上に過剰に冷却してしまう虞れがなく、外気条件の変更に対して良好な冷却効率を得ることができ、その結果、省エネルギー化を図ることができる。
【００６７】
また、上記除湿空調装置２０によれば、水分吸着領域４２の下流側で除湿した空気と別個に導入した店舗１の内部空気とを混合させるようにしたので、除湿ロータ３０での除湿処理空気量の増大化を招来する虞れがなく、これにより、除湿ロータ３０での除湿処理空気量の増大なく除湿した所定の温度に冷却された空気を店舗１の内部へ供給することができる。
【００６８】
＜実施の形態２＞
図７は、本発明の実施の形態２における除湿空調装置の構成を模式的に示した模式図である。尚、上述した実施の形態１における除湿空調装置２０と同一の構成を有するものは、同一の符号を付してその説明を省略する。
【００６９】
この図７において、除湿空調装置６０は、店舗１の内部への外気導入による換気、除湿、空気調和を行うものであり、除湿ロータ３０と、除湿処理ユニット７０と、再生処理ユニット５０とを備えて構成してある。
【００７０】
除湿処理ユニット７０は、導入した外気（空気）を除湿して店舗１の内部に導入するためのものであり、除湿処理経路４００を有している。
【００７１】
除湿処理経路４００は、外気取入口４０１から取り入れた外気（空気）を、空気吐出口４０２を通じて対象室の内部に導くための経路であり、予備冷却器４１、除湿ロータ３０の水分吸着領域４２、冷却器７１および除湿処理ファン４３が外気取入口４０１側から順に設けてある。
【００７２】
冷却器７１（蒸発器）は、除湿ロータ３０の水分吸着領域４２と、除湿処理ファン４３との間、より詳細には、除湿ロータ３０の水分吸着領域４２と、還気取入口４０３との間に設けてあり、除湿ロータ３０の水分吸着領域４２を通過した空気、すなわち除湿された空気を冷却するものである。この冷却器７１は、一端が冷媒配管を通じて電子膨張弁７１ｃに接続され、他端が冷媒配管および分岐管７１ｅを通じて圧縮機４１ａに接続してある。この電子膨張弁７１ｃは、冷媒配管および分岐管７１ｆを通じて凝縮器４１ｂに接続してある。つまり、冷却器７１は、予備冷却器４１とともに除湿前冷却手段を構成する圧縮機４１ａおよび凝縮器４１ｂと、電子膨張弁７１ｃとに対して冷媒配管を通じて冷媒循環経路Ｋ２を形成しており、除湿後冷却手段を構成している。ここに、電子膨張弁７１ｃは、凝縮器４１ｂより分岐管７１ｆを介して供給された冷媒、すなわち、凝縮器４１ｂで放熱させた冷媒を断熱膨張させる、すなわち、該冷媒を減圧して低温低圧の状態に調整するものである。この電子膨張弁７１ｃの開度は、後述する制御部７７により調整される。冷却器７１は、電子膨張弁７１ｃで低温低圧の状態に断熱膨張させた冷媒を蒸発させるものである。この冷媒が蒸発することにより、冷却器７１の周辺を通過する空気は、熱が奪われて冷却される。尚、図中の符号７１ｄは、開閉可能な二方弁であり、開成状態においては、凝縮器４１ｂから分岐管７１ｆを介して電子膨張弁７１ｃへ冷媒が流れることを許容する一方、閉成状態においては、凝縮器４１ｂから分岐管７１ｆを介して電子膨張弁７１ｃへ冷媒が流れることを規制するものである。
【００７３】
そのような除湿処理経路４００には、除湿後温度検出センサ７４が設けてある。除湿後温度検出センサ７４は、冷却器７１の下流側、すなわち冷却器７１と還気取入口４０３との間に設けてあり、冷却器７１にて冷却された空気の温度を検出するものである。この除湿後温度検出センサ７４は、検出した除湿後温度を除湿後温度情報として、後述する制御部７７に出力するものである。
【００７４】
以上のような除湿処理ユニット７０の制御系について説明する。図８は、図７に示した除湿処理ユニットの制御系の要部を示すブロック図である。この図８において、除湿処理ユニット７０は、外気温度検出センサ７５、記憶部７６および制御部（除湿後制御手段）７７を備えている。これら記憶部７６および制御部７７は、除湿空調装置全体を統括する除湿空調制御部（図示せず）に組み込まれても良いし、独立して設けてあっても良い。
【００７５】
外気温度検出センサ７５は、上述した実施の形態１と同様であり、外気の温度を検出するものであり、検出した外気温度を外気温度情報として制御部７７に出力するものである。
【００７６】
記憶部７６は、各種のデータや、制御部７７による各種処理に必要なデータやプログラムを格納する格納手段（記憶手段）であり、特に本発明に密接に関連するものとしては、除湿後冷却情報７６１を備える。除湿後冷却情報７６１は、図３に示した除湿前冷却情報４６１と同じように、外気温度と、冷却器７１により冷却される空気の除湿後温度とが関連付けられた情報である。かかる除湿後冷却情報７６１は、予め実験等により求められたものであり、各外気温度に対して好適な除湿後温度が関連付けられている。
【００７７】
制御部７７は、ＯＳ（Operating  System）等の制御プログラム、各種の処理手順等を規定したプログラムおよび所要データを格納するための内部メモリを有し、これらによって種々の処理を実行する処理部であり、特に本発明に密接に関連するものとしては、外気温度情報入力部７７１と、除湿後温度決定部７７２と、除湿後温度情報入力部７７３と、電子膨張弁駆動部７７４と、温度比較部７７５とを備える。
【００７８】
外気温度情報入力部７７１は、外気温度検出センサ７５から出力された外気温度情報を入力処理するものである。
【００７９】
除湿後温度決定部７７２は、外気温度情報入力部７７１を通じて入力処理された外気温度情報と、記憶部７６から読み出した除湿後冷却情報７６１とを比較して、除湿後温度を決定するものである。以下においては、説明の便宜上、除湿後温度決定部７７２により決定された除湿後温度を決定温度と適宜称する。
【００８０】
除湿後温度情報入力部７７３は、除湿後温度検出センサ７４から出力された除湿後温度情報を入力処理するものである。以下においては、説明の便宜上、除湿後温度情報入力部７７３により入力処理された除湿後温度情報に含まれる除湿後温度を検出温度と適宜称する。
【００８１】
電子膨張弁駆動部７７４は、除湿後温度決定部７７２により決定された温度（決定温度）、並びに除湿後温度情報入力部７７３を通じて入力処理された検出温度に基づき、電子膨張弁７１ｃを駆動、すなわち電子膨張弁７１ｃの開度を調整駆動するものである。
【００８２】
温度比較部７７５は、除湿後温度決定部７７２により決定された決定温度（除湿後温度）と、除湿後温度情報入力部７７３を通じて入力処理された検出温度とを比較するものである。
【００８３】
以上のような構成を有する除湿空調装置６０は、次のようにして店舗１の内部を換気、除湿する。ここでは、二方弁４１ｄ，７１ｄは、いずれも開成状態であるとする。
【００８４】
運転指令が発せられ、モータ、圧縮機４１ａ、除湿処理ファン４３、加熱源５１ａ、ポンプ５１ｂおよび再生ファン５３のそれぞれが駆動すると、水分吸着素子３１が回転するとともに、除湿処理ファン４３および再生ファン５３が駆動する。また、圧縮機４１ａで圧縮された冷媒が冷媒循環経路Ｋ１，Ｋ２を循環し、加熱源５１ａで加熱された湯がポンプ５１ｂの作用により熱媒体循環路Ｌ３を流れる。
【００８５】
除湿処理ファン４３の駆動により、外気が外気取入口４０１を通じて取り入れられ、取り入れられた外気は、予備冷却器４１に至る。予備冷却器４１に至った外気は、該予備冷却器４１の内部を流れる冷媒が蒸発することにより冷却され、水分吸着領域４２に至る。その一方、除湿処理ファン４３の駆動により、店舗１の内部の室内空気が空気取入口を通じて取り入れられ、取り入れられた室内空気は、還気導入路Ｒを通過して還気取入口４０３に至る。
【００８６】
水分吸着領域４２において、外気に含有される水分が水分吸着素子３１の対応する部分に吸着され、外気の湿度が低下する。すなわち、外気は除湿される。また、水分吸着素子３１の水分吸着領域４２に対応する部分に吸着された水分は、水分吸着素子３１の回転とともに、水分吸着領域４２から水分放出領域５２に移動する。
【００８７】
水分吸着領域４２で除湿された外気は、冷却器７１に至る。冷却器７１に至った外気は、該冷却器７１の内部を流れる冷媒が蒸発することによりさらに冷却され、その後、除湿処理ファン４３の駆動により下流側に流れ、還気導入路Ｒを通過し還気取入口４０３に至った室内空気と混合して混合拡散されて所定の温湿度に調整された後、混合空気として空気吐出口４０２を通じて店舗１の内部に供給される。
【００８８】
一方、再生ファン５３が駆動することにより、再生空気取入口５０１を通じて空気（外気）が取り入れられ、取り入れられた空気は、加熱器５１に至る。加熱器５１に至った空気は、加熱器５１の内部を流れる湯により加熱されて高温度の空気になり、水分放出領域５２に至る。
【００８９】
水分放出領域５２において、加熱器５１で加熱された空気が通過することにより、水分吸着素子３１の対応する部分から水分が放出され、該空気の湿度が上昇する。その後、水分放出領域５２を通過した空気は、再生ファン５３の駆動により、再生空気吐出口５０２を通じて外部に送出される。
【００９０】
水分吸着素子３１の水分放出領域５２に対応する部分は、水分が放出されて乾燥するとともに、温度が上昇する。この温度が上昇し、かつ乾燥した水分吸着素子３１の対応部分は、水分吸着素子３１の回転とともに、水分放出領域５２から水分吸着領域４２に移動し、上述した動作を繰り返す。
【００９１】
つまり、上記除湿空調装置６０において、除湿処理ユニット７０は、導入した外気を予備冷却器４１で冷却し、冷却した外気を水分吸着領域４２に通過させることにより水分吸着素子３１に水分を吸着させて除湿し、除湿した空気を冷却器７１でさらに冷却し、該冷却した空気に還気導入路Ｒを通じて別個に導入した店舗１の内部の室内空気を混合して該店舗１の内部に供給している。また、再生処理ユニット５０は、外気を加熱して水分放出領域５２に通過させることにより水分吸着素子３１に水分を放出させている。
【００９２】
そして、除湿処理ユニット７０では、導入した外気を予備冷却器４１で冷却することにより、外気の相対湿度を上昇させることができる。そのため、相対湿度が高い方が除湿量が高くなる紙やゼオライト等の特性を利用して水分吸着素子３１での吸着水分量を増加させることができる。また、水分吸着領域４２を通過する外気は、除湿される際に発生する吸着熱により温度が上昇することになる。ところが、かかる外気は、水分吸着領域４２の下流側で、冷却器７１で冷却されるとともに、還気導入路Ｒを通じて導入した室内空気と混合されることで、所定の温湿度に冷却することができる。このように、店舗１の内部に外気を供給するので換気を行うことができ、しかも、所定の温度に冷却・除湿された空気を供給するので店舗１の内部を良好に除湿することができるとともに適温に調整することができる。
【００９３】
そのようにして店舗１の内部の換気、除湿を行う除湿空調装置６０は、予め設定された時間ごとに次のような動作を行う。ここで、除湿処理ユニット７０を構成する制御部４７が行う処理内容は、上述した実施の形態１と同様であるので、かかる制御部４７が行う処理についての説明は割愛する。
【００９４】
制御部７７は、図９に示すように、除湿後温度決定処理を行う（ステップＳ３００）。かかる除湿後温度決定処理について説明する。
【００９５】
制御部７７は、図１０に示すように、外気温度情報入力部７７１を通じて、外気温度検出センサ７５からの外気温度情報の入力の有無を確認し（ステップＳ３０１）、外気温度情報の入力が確認できた場合には、制御部７７は、記憶部７６から除湿後冷却情報７６１の読み出しを行う（ステップＳ３０２）。記憶部７６から除湿後冷却情報７６１の読み出しを行った制御部７７は、除湿後温度決定部７７２を通じて、該除湿後冷却情報７６１と、外気温度情報入力部７７１を通じて入力処理された外気温度情報とを比較して、除湿後温度（決定温度）を決定し（ステップＳ３０３）、今回の除湿後温度決定処理を終了して、手順をリターンする。
【００９６】
一方、上記ステップＳ３０１において、外気温度情報の入力が確認できない場合には、制御部７７は、上述したような除湿後温度の決定を行わずに、今回の除湿後温度決定処理を終了して、手順をリターンする。これによれば、今回の処理以前であり、かつ直近に決定された除湿後温度が今なお有効なものとされる。
【００９７】
上述したような除湿後温度決定処理を行った制御部７７は、図９に示すように、電子膨張弁開度調整処理を行う（ステップＳ４００）。かかる電子膨張弁開度調整処理について説明する。
【００９８】
制御部７７は、図１１に示すように、除湿後温度決定部７７２を通じて、除湿後温度の決定の有無を確認し（ステップＳ４０１）、除湿後温度の決定が確認できた場合には、電子膨張弁駆動部７７４を通じて、電子膨張弁７１ｃの開度を調整する（ステップＳ４０２）。より詳細に説明すると、制御部７７は、電子膨張弁駆動部７７４を通じて、電子膨張弁７１ｃの開度を大きくしたり、あるいは、小さくしたりする。このように電子膨張弁７１ｃの開度を大きくすると、冷却器７１への冷媒の供給量が増大する一方、電子膨張弁７１ｃの開度を小さくすると、冷却器７１への冷媒の供給量が減少する。
【００９９】
このように電子膨張弁７１ｃの開度を調整している間に、制御部７７は、除湿後温度情報入力部７７３を通じて除湿後温度検出センサ７４からの除湿後温度情報を入力し、温度比較部７７５を通じて、該除湿後温度情報に含まれる検出温度が、除湿後温度決定部７７２により決定された決定温度に一致するか否かを比較する（ステップＳ４０３，ステップＳ４０４）。かかるステップＳ４０３およびステップＳ４０４の処理は、検出温度と決定温度とが一致するまで繰り返し行う。
【０１００】
そして、検出温度と決定温度とが一致した場合には、制御部７７は、電子膨張弁駆動部７７４を通じて、調整中の電子膨張弁７１ｃの開度をその時点での大きさに保持した状態で維持し（ステップＳ４０５）、今回の電子膨張弁開度調整処理を終了して、手順をリターンする。これによれば、外気温度に好適な除湿後温度を実現するのに必要十分な量の冷媒が冷却器７１へ供給されることになる。
【０１０１】
上記ステップＳ４０１において、除湿後温度の決定が確認できなかった場合には、制御部７７は、上述したような電子膨張弁７１ｃの開度調整を行わずに、今回の電子膨張弁開度調整処理を終了して、手順をリターンする。
【０１０２】
そして、そのような電子膨張弁開度調整処理を行った後、制御部７７は、今回の処理を終了する。
【０１０３】
以上説明したように、本発明の実施の形態２における除湿空調装置６０によれば、導入した外気を予備冷却器４１で冷却することにより、外気の相対湿度を上昇させることができ、これにより、除湿ロータ３０の除湿量の向上を図ることができる。また、制御部４７が、除湿前冷却情報４６１に従い、外気温度検出センサ４５により検出された外気温度に応じて電子膨張弁４１ｃの開度を調整するので、検出される外気温度に対して好適な除湿前温度を実現するのに必要十分な量の冷媒を予備冷却器４１へ供給することができ、外気を必要以上に過剰に冷却してしまう虞れがなく、良好な冷却効率を得ることができ、その結果、省エネルギー化を図ることができる。更に、制御部７７が、除湿後冷却情報７６１に従い、外気温度センサにより検出された外気温度に応じて電子膨張弁７１ｃの開度を調整するので、検出される外気温度に対して好適な除湿後温度を実現するのに必要十分な量の冷媒を冷却器７１へ供給することができ、外気を必要以上に過剰に冷却してしまう虞れがなく、これによっても、省エネルギー化を図ることができる。
【０１０４】
また、上記除湿空調装置６０によれば、制御部４７が電子膨張弁４１ｃの開度を調整して予備冷却器４１への冷媒の供給量を制御し、かつ、制御部７７が電子膨張弁７１ｃの開度を調整して冷却器７１への冷媒の供給量を制御するので、除湿ロータ３０の除湿量の制御と、店舗１の内部へ供給する空気の温度の制御とを独立して行うことができる。このように制御部７７が電子膨張弁７１ｃの開度を調整することにより店舗１の内部へ供給する空気の温度を制御できることから、店舗１の内部における空気の吹出口の近傍での温度等の不快感を最小限度に抑制することができる。
【０１０５】
以上、本発明の好適な実施の形態１および実施の形態２について説明したが、本発明これらに限定されるものではなく、種々の変更を行うことができる。
【０１０６】
例えば、上述した実施の形態２では、制御部４７と制御部７７とは別個独立したものであったが、これらを一つの制御部として、電子膨張弁４１ｃおよび電子膨張弁７１ｃの開度を調整するようにしても良い。
【産業上の利用可能性】
【０１０７】
以上のように、本発明は、例えばスーパーマーケット、コンビニエンスストア、ショッピングセンター等の店舗に適用され、店舗内への外気導入による換気、除湿、空気調和の各機能を有する除湿空調装置として有用である。
【図面の簡単な説明】
【０１０８】
【図１】本発明の実施の形態１における除湿空調装置の構成を模式的に示した模式図である。
【図２】図１に示した除湿処理ユニットの制御系の要部を示すブロック図である。
【図３】記憶部に格納してある除湿前冷却情報の一例を示した図表である。
【図４】図２に示した制御部の処理内容を示したフローチャートである。
【図５】図２に示した制御部の処理内容を示したフローチャートである。
【図６】図２に示した制御部の処理内容を示したフローチャートである。
【図７】本発明の実施の形態２における除湿空調装置の構成を模式的に示した模式図である。
【図８】図７に示した除湿処理ユニットの制御系の要部を示すブロック図である。
【図９】図８に示した制御部の処理内容を示したフローチャートである。
【図１０】図８に示した制御部の処理内容を示したフローチャートである。
【図１１】図８に示した制御部の処理内容を示したフローチャートである。
【符号の説明】
【０１０９】
２０，６０    除湿空調装置
３０    除湿ロータ
３１    水分吸着素子
４０，７０    除湿処理ユニット
４１    予備冷却器
４１ｃ，７１ｃ    電子膨張弁
４２    水分吸着領域
４４    除湿前温度検出センサ
４５，７５    外気温度検出センサ
４６，７６    記憶部
４６１    除湿前冷却情報
４７，７７    制御部
４７１，７７１    外気温度情報入力部
４７２    除湿前温度決定部
４７３    除湿前温度情報入力部
４７４，７７４    電子膨張弁駆動部
４７５，７７５    温度比較部
５０    再生処理ユニット
５２    水分放出領域
７１    冷却器
７４    除湿後温度検出センサ
７６１    除湿後冷却情報
７７２    除湿後温度決定部
７７３    除湿後温度情報入力部
【図１】
2007225157.tif 000003
【図２】
2007225157.tif 000004
【図３】
2007225157.tif 000005
【図４】
2007225157.tif 000006
【図５】
2007225157.tif 000007
【図６】
2007225157.tif 000008
【図７】
2007225157.tif 000009
【図８】
2007225157.tif 000010
【図９】
2007225157.tif 000011
【図１０】
2007225157.tif 000012
【図１１】
2007225157.tif 000013